(57)【要約】【課題】夜間や暗い所でも識別できコストを抑え、非常に趣向性のある回転飛行遊技具を提供することにある。【解決手段】回転円盤体２自体を透明部分３ａ、３ｂと半透明部分４を持つ構造にし、発光ダイオード５とそれを取り付け交換するためのコネクター６とその電源である電池を取り付けるための電池収納部７を取り付け、透明部分３ａ、３ｂと半透明部分４を２層に分けた時に透明部分３ａ、３ｂを脱着、及び、違う種類や色のものに交換できるように半透明部分４にツメ８を設けた。【選択図】図１
2004267725.tif 000002
【特許請求の範囲】
【請求項１】
回転するように飛ばして遊ぶ回転円盤体に電池で発光する発光ダイオードを複数設け、その電源である電池を取り付ける為の電池収納部を設けた請求項１記載の回転飛行遊技具。
【請求項２】
発光ダイオードの交換の為にコネクターを取り付けた請求項１記載の回転飛行遊技具。
【請求項３】
回転円盤体部分を透明及び半透明にし、発光ダイオードの発光部付近に受光部を設け、さらに凹凸を設けた請求項１又は２記載の回転飛行遊技具。
【請求項４】
回転円盤体部分の透明な部分と半透明の部分を２層に分けた請求項３記載の回転飛行遊技具。
【請求項５】
回転円盤体部分の透明な部分を集光性で色がある物や集光性で色がありブラックライトや紫外線に当たると反応して発光する物にした請求項３又は４記載の回転飛行遊技具。
【請求項６】
回転円盤体部分の透明な部分を違う種類や色に交換する為に、脱着出来るように回転円盤体部分にツメを設けた請求項４又は５記載の回転飛行遊技具。
【発明の詳細な説明】
【０００１】
【発明の属する技術分野】本発明は、回転するように飛ばして遊ぶ回転飛行遊技具に関する。
【０００２】
【従来の技術】従来において、回転飛行遊技具で遊ぶには、夜間や暗い場所では見失ってしまうため遊べなくなってしまう。これに対し、夜光塗料や化学発光体などを使い暗い所でも識別できるようにしていた（例えば、特許文献１参照。）。しかし、発光自体の趣向性はあまりなく、化学発光体については使いきりにならざるを得なかった。
【０００３】
【特許文献１】特開平０５−２２８２６５
【０００４】
【発明が解決しようとする課題】本発明が解決しようとする課題は、従来の問題を解消し、暗い所でも識別できコストを抑制して、非常に趣向性のある回転飛行遊技具を提供することにある。
【０００５】
【課題を解決するための手段】課題を解決した本発明の構成は、１、回転するように飛ばして遊ぶ回転円盤体に電池で発光する発光ダイオードを複数設け、その電源である電池を取り付ける為の電池収納部を設けた回転飛行遊技具。２、発光ダイオードの交換の為にコネクターを取り付けた前記１記載の回転飛行遊技具。３、回転円盤体部分を透明及び半透明にし、発光ダイオードの発光部付近に受光部を設け、さらに凹凸を設けた前記１又は２記載の回転飛行遊技具。４、回転円盤体部分の透明な部分と半透明の部分を２層に分けた前記３記載の回転飛行遊技具。５、回転円盤体部分の透明な部分を集光性で色がある物や集光性で色がありブラックライトや紫外線に当たると反応して発光する物にした３又は４記載の回転飛行遊技具。６、回転円盤体部分の透明な部分を違う種類や色に交換する為に、脱着出来るように回転円盤体部分にツメを設けた前記４又は５記載の回転飛行遊技具にある。
【０００６】
【発明の実施の形態】本発明の実施の形態を簡単に説明する。
【０００７】昼間や明るい所では従来と同じ様に遊べばよい、夜間や暗い所では、まず発光ダイオードの電源である電池を電池収納部に取り付ける事により発光ダイオードが点灯したら、見失うような事がないので従来と同じ様に遊べる。
【０００８】
【第一実施例】本発明の具体的な実施例について図１〜図５を参照して詳しく説明する。
【０００９】本実施例の回転飛行遊戯具１は、回転円盤体２部分を透明部分３（この透明部分３とは、図１の３ａ・３ｂ、図２の３ｃ、のように異なる働きをする部分をまとめたものとし、全て透明な物である。）と半透明部分４（前記透明部分と同様、図１の４、図２の４ａ・４ｂ・のように異なる働きをする部分をまとめたものとし、全て半透明な物である。）を持つ軟質な素材にすることにより、透明部分３では光は内部を通り半透明部分４では、そこに光が当たり全体的に光るするようにした。発光ダイオード５の発光部付近に光を取り入れるための受光部３ｃを設け、発光ダイオードの交換の為にコネクター６を設け、発光ダイオードの電源である電池を取り付ける為の電池収納部７を設け、本実施例では、それぞれ異なる色の発光ダイオードを取り付け、その電源である電池は軽量なリチウム電池とした回転飛行遊技具の例であり、図１は、その平面図である。
【００１０】図２は本実施例の側面図であり、発光ダイオード５が発光した光を受光部３ｃから取り入れたなら、光は透明部分３ａの内部を通り半透明部分４ａの部分で発光ダイオードと同じ色で光る、また透明部分３ｂの受光部３ｃから取り入れた光は透明部分３ｂ内部を通過して半透明４ｂの部分で、隣り合わせの発光ダイオードの色と混ざり合って発光するので、非常に趣向性がある。透明部分３ａの受光部３ｃは図
【００１１】図３は、図１のＡ−Ａの断面図であり、受光部３ｃの厚みは発光ダイオードの半分位の厚みにするとよい。透明部分３ｂの受光部３ｃは図４のように発光ダイオードと並行するように設けるとよい。
【００１２】図５は、図１のＢ−Ｂの断面図の他の例の説明図であり、この様に側面などに凹凸４ｃなどを設けることによっても受光部３ｃから取り入れた光を発光することが出来る。
【００１３】図６は、第一実施例の回転飛行遊技具の他の例の平面図で、この様に回転円盤体２の大部分を透明部分３にしたり、前記半透明部分４や凹凸４ｃ部分をどのように配置してもよい事とし、発光ダイオードの数なども変更して設けるようにしてもよい。
【００１４】しかし、透明で光を材質の内部を水平方向に通せる様な物はアクリルなどの回転飛行遊技具のような衝撃に耐えられる材質ではなく、仮に衝撃に耐えられる材質などが有ってもコストがかかる可能性がある。
【００１５】そこで、第二実施例を図１、２を引用し図７〜１０に基づいて説明する。
【００１６】
【第二実施例】図７や図８は図１のＢ−Ｂの断面図にあたるものだが、このように透明部分３と半透明部分４を２層に分け、透明部分３を半透明部分４の内側に入れる事によりアクリルのような透光性があり割れやすい材質であっても外側の半透明部分４が衝撃を吸収してくれるので、割れてしまうような事が無くなり、透光性が良いので受光部３ｃから入った光は透明部分３の内部を通り出光部３ｄに抜け出るように鮮やかな光で発光する。図７の場合でも、受光部３ｃから入った光は透明部分３の内部を通り出光部３ｄと下方に発光するので美観があり趣向性もある。
【００１７】さらに、このように透明部分３と半透明部分４を２層に分けた事により、透明部分３を脱着出来るようにし、透明部分３を取り付けるためのツメ８を半透明部分４に設けるようにした。
【００１８】その事により、透明部分３ａを発光ダイオード５と同形同色の集光性のある物にしたり、同形同色で集光性がありブラックライトや紫外線に当たると反応して発光する物にでき、自分で回転円盤体を作り上げるような楽しみ方が出来る。
【００１９】図９は、図１のＣの部分にあたるものだが、透明部分３と半透明部分４を２層に分け透明部分３を取り付けるためのツメ８を半透明部分４に設けた底面図としたものある。表面的には図１のものと、なんら変わりないものになる。
【００２０】図１０は、透明部分３と半透明部分４を２層に分け透明部分３を取り付けるためのツメ８を半透明部分４に設けた回転飛行遊技具２の側面図で、出光部３ｄから見える透明部分３ａ、３ｂは前記半透明部分４ａ、４ｂと同じ働きをする。
【００２１】さらに、透明部分３ａを発光ダイオード５と同色の集光性がある物にすると、昼間や明るい所では太陽光線やライトによって発光し夜間や暗い所では発光ダイオードによって発光するので、回転するように投げて遊ぶ、この回転飛行遊技具では、発光した光がリング状に見えるので非常に趣向性がある。
【００２２】最近ではブラックライトを店や自宅、さらには自動車の中にまで取り付けている人もいるので、透明部分３ａを発光ダイオード５と同色の集光性がありブラックライトや紫外線に当たると反応して発光する物にすると、投げて遊ぶだけではなく、使用してない時は店や自宅や自動車の飾りとしても美観があり注目性も非常に高い。
【００２３】
【発明の効果】本発明は、以上説明したように回転するように飛ばして遊ぶ回転円盤体に電池で発光する発光ダイオードを設けた事により夜間や暗いところでも見失うことがなくなり、発光ダイオードの光がリング状に見え趣向性があり、また、使用後は電池を取り外しておけば電池の寿命がくるまで繰り返し使えるので、とても経済的。
【００２４】
コネクターを取り付けた事により発光ダイオードの球が切れた時は、新しい物に交換でき長く使用してもらえ、また、好みによって色を変えられるので趣向性があり経済的。
【００２５】また、回転円盤体部分を透明及び半透明にした事により、透明部分では光は内部を通り半透明部分では、そこに光が当たり全体的に光るようでき、発光ダイオードの発光部付近に受光部を設けた事により、発光ダイオードが発した光を発光ダイオードの前方だけでなく透明部分の内部を通り側方などに発光でき、複数色の発光ダイオードを使用している時は異なる色の光が混ざり合った光を発光することが出来るので趣向性がある。
【００２６】また、回転円盤体部分の透明な部分と半透明の部分を２層に分けた事によりアクリルのような透光性があり割れやすい材質であっても外側の半透明部分４が衝撃を吸収してくれるので割れてしまうような事が無くなり、透光性が高いので受光部３ｃから入った光は透明部分３の内部を通り出光部３ｄに抜け出るように鮮やかな光で発光するので美観があり趣向性もある。
【００２７】さらに、透明部分と半透明部分を２層に分け透明部分を脱着出来るように半透明部分にツメを設けた事により、透明部分を集光性で色がある物や集光性で色がありブラックライトや紫外線に当たると反応して発光する物にでき、昼間や明るい所は太陽光線やライトによって発光し、夜間や暗い所では発光ダイオードによって発光することが出来、回転飛行遊技具を使用してない時はブラックライトを使用する事により店や自宅や自動車の飾りとしても美観があり注目性も非常に高い。
【図面の簡単な説明】
【図１】第一実施例の回転飛行遊技具の平面図である。
【図２】第一実施例の回転飛行遊技具の側面図である。
【図３】図１のＡ−Ａの断面図である。
【図４】図１のＣの部分の説明図である。
【図５】図１のＢ−Ｂの断面図を引用した他の例の説明図である。
【図６】第一実施例の回転飛行遊技具の他の例の平面図である。
【図７】図１のＢ−Ｂの断面図を引用した第二実施例の説明図である。
【図８】図１のＢ−Ｂの断面図を引用した第二実施例の説明図である。
【図９】図１のＣ部分の平面図を引用した第二実施例の説明図である。
【図１０】第二実施例の側面図の説明図である。
【符号の説明】
１    回転飛行遊技具
２    回転円盤体
３    ３ａと３ｂを含めた透明部分
３ａ  ３ｂと異なる働きをする透明部分
３ｂ  ３ａと異なる働きをする透明部分
３ｃ  受光部
３ｄ  出光部
４    ４ａと４ｂとを含めた半透明部分
４ａ  ４ｂと異なる働きをする半透明部分
４ｂ  ４ａｃと異なる働きをする半透明部分
４ｃ  凹凸
５    発光ダイオード
６    コネクター
７    電池収納部
８    ツメ
【図１】
2004267725.tif 000003
【図２】
2004267725.tif 000004
【図３】
2004267725.tif 000005
【図４】
2004267725.tif 000006
【図５】
2004267725.tif 000007
【図６】
2004267725.tif 000008
【図７】
2004267725.tif 000009
【図８】
2004267725.tif 000010
【図９】
2004267725.tif 000011
【図１０】
2004267725.tif 000012